(57)【要約】  通信システム内に、複数のセルで協調して下り通信を行うセルグループが含まれる場合でも、適切なハンドオーバー制御を実現できる端末。この端末（１００）では、ＣｏＭＰ品質算出部（１０５）が、品質算出対象グループから送信された参照信号に基づいて、品質算出対象グループについての総合品質値を算出し、Ｍｅａｓｕｒｅｍｅｎｔ制御部（１０６）が、算出された総合品質値がＣｏＭＰ閾値を超えるときに、品質算出対象グループに含まれる複数のセルの内の少なくとも１つのセルから送信された参照信号の品質を、通信中のセルに送信する。
2012105167.tif 000002
【特許請求の範囲】
【請求項１】
下り回線データを協調送信するセルグループを構成する複数のセルの内の全部又は一部から構成される品質算出対象グループから送信された参照信号を受信する受信手段と、
前記受信された参照信号に基づいて、前記品質算出対象グループについての総合品質値を算出する算出手段と、
前記算出された総合品質値が第１の閾値を超えるときに、前記品質算出対象グループに含まれる複数のセルの内の少なくとも１つのセルから送信された前記参照信号の品質に関する情報を、通信中のセルに送信する送信手段と、
を具備する端末。
【請求項２】
前記総合品質値は、前記品質算出対象グループに含まれる複数のセルの参照信号を合成した合成信号に基づいて算出される、
請求項１に記載の端末。
【請求項３】
前記総合品質値は、前記品質算出対象グループに含まれる複数のセルの各々の参照信号の品質値に所定のオフセット値を加算することにより算出された複数の加算値であり、
前記送信手段は、前記複数の加算値の内の少なくとも１つの加算値が前記第１の閾値を超えるときに、前記品質算出対象グループに含まれる複数のセルの内の少なくとも１つのセルから送信された前記参照信号の品質に関する情報を、通信中のセルに送信する、
請求項１に記載の端末。
【請求項４】
前記受信手段は、下り回線データを協調送信しないセルから送信された参照信号をさらに受信し、
前記算出手段は、前記協調送信しないセルから送信された参照信号に基づいて、セル単位品質値をさらに算出し、
前記送信手段は、前記算出されたセル単位品質値が第２の閾値を超えたときに、前記セル単位品質値に関する情報を送信し、
前記第１の閾値は、前記第２の閾値よりも大きい、
請求項１に記載の端末。
【請求項５】
前記第１の閾値は、前記品質算出対象グループを構成する複数のセルの数に応じて、変更される、
請求項１に記載の端末。
【請求項６】
前記第１の閾値は、前記セルグループの協調送信方式が、前記下り回線データを送信するセルを順次切り替える第１の方式か又は複数のセルで前記下り回線データを同時に送信する第２の方式かに応じて、切り替えられる、
請求項１に記載の端末。
【請求項７】
下り回線データを協調送信するセルグループを構成する複数のセルの内の全部又は一部から構成される品質算出対象グループから送信された参照信号を受信し、
前記受信された参照信号に基づいて、前記品質算出対象グループについての総合品質値を算出し、
前記算出された総合品質値が第１の閾値を超えるときに、前記品質算出対象グループに含まれる複数のセルの内の少なくとも１つのセルから送信された前記参照信号の品質に関する情報を、通信中のセルに送信する、
品質送信方法。
【発明の詳細な説明】
【技術分野】
【０００１】
本発明は、端末及び品質送信方法に関する。
【背景技術】
【０００２】
移動通信システムでは、或るセルと通信していた端末の受信電力がその端末自身の移動又は周辺環境の変化などに起因して低下し、その通信の維持が困難となる状況が発生する。このような状況に対して、端末は、通信しているセルより受信電力が高いセルに接続しなおすことにより、通信を維持することができる。このセルの切り替え処理は、「ハンドオーバー」と呼ばれる。このハンドオーバーを行うためには、端末は、「サービングセル」の周辺に存在するセルから送信された信号の受信電力を測定し、サービングセルへ報告する必要がある。「サービングセル」とは、通信中の端末に対して制御情報を通知するセルである。ＬＴＥでは、この端末が行う、周辺のセル（「隣接セル」とも呼ばれる）から送信された信号の受信電力・受信品質を測定する処理は、「Ｍｅａｓｕｒｅｍｅｎｔ」と呼ばれる。【０００３】
非特許文献１には、ＬＴＥにおける、Ｍｅａｓｕｒｅｍｅｎｔ及びハンドオーバーの動作について記載されている。【０００４】
すなわち、まず、基地局（サービングセル）は、通信中の端末に対して、Ｍｅａｓｕｒｅｍｅｎｔに関する設定を行う。具体的にそのＭｅａｓｕｒｅｍｅｎｔに関する設定とは、測定対象（キャリア周波数等）の設定、サービングセルおよび隣接セルのリスト（セルＩＤのリスト）の設定、測定タイミングの設定、及び、報告値に関する詳細の設定等を指す。報告値に関する詳細の設定とは、報告値の種別（非特許文献２に定義される、Ｒｅｆｅｒｅｎｃｅ  Ｓｉｇｎａｌ  Ｒｅｃｅｉｖｅｄ  Ｐｏｗｅｒ  （ＲＳＲＰ）、及び、Ｒｅｆｅｒｅｎｃｅ  Ｓｉｇｎａｌ  Ｒｅｃｅｉｖｅｄ  Ｑｕａｌｉｔｙ  （ＲＳＲＱ）など）の設定、基地局への報告値の送信を促すトリガー条件の設定、及び報告周期の設定を示す。端末は、サービングセル及び隣接セルから送信される、セル固有の系列で生成される参照信号（Ｒｅｆｅｒｅｎｃｅ  Ｓｉｇｎａｌ、ＲＳ）、同期信号（Ｓｙｎｃｈｒｏｎｉｚａｔｉｏｎ  Ｓｉｇｎａｌ）、及びデータ信号を用いて、Ｍｅａｓｕｒｅｍｅｎｔを行う。【０００５】
端末は、基地局による設定に基づいて、サービングセル及び隣接セルから送信された信号の品質測定を行う。そして、端末は、基地局によって設定された所定のトリガー条件を満たした場合に、品質の測定値を基地局（サービングセル）へ報告する。トリガー条件としては、例えば、サービングセルの品質レベルが所定の閾値を超えること、又は、隣接セルの品質がサービングセルの品質に対して所定の閾値以上に上回ること等である。【０００６】
基地局は、端末から報告された品質の測定値をもとに、ハンドオーバー先セルを決定し、端末に対してハンドオーバーを指示する。端末は、基地局からの指示を受け、ハンドオーバー元セルとの通信を切断すると共にハンドオーバー先セルと接続することにより、サービングセルを切り替える。【０００７】
また、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ−ｔｅｒｍ  Ｅｖｏｌｕｔｉｏｎ）の発展形であるＬＴＥ−Ａｄｖａｎｃｅｄの下り回線では、主にセルエッジに存在するユーザーのスループットを向上させることを目的として、複数のセルが協調して端末へデータを送信する通信方式である、ＣｏＭＰ（Ｃｏｏｒｄｉｎａｔｅｄ  ｍｕｌｔｉｐｌｅ  ｐｏｉｎｔ  ｔｒａｎｓｍｉｓｓｉｏｎ  ａｎｄ  ｒｅｃｅｐｔｉｏｎ）が検討されている。【０００８】
ＬＴＥ−Ａｄｖａｎｃｅｄでは、ＣｏＭＰの方式として、Ｄｙｎａｍｉｃ  Ｃｅｌｌ  Ｓｅｌｅｃｔｉｏｎ（ＤＣＳ）及びＪｏｉｎｔ  Ｔｒａｎｓｍｉｓｓｉｏｎ（ＪＴ）が検討されている。ＤＣＳとは、ＣｏＭＰに関わる複数のセルの中から、データを送信するセルを、伝搬状況に応じてダイナミックに選択する方式である。また、ＪＴとは、ＣｏＭＰに関わる複数のセルが同時に同じ信号を端末へ送信する方式である。【０００９】
より低コストでＣｏＭＰによる伝送特性を向上するために、複数のセルを、Ｂａｓｅｂａｎｄ  Ｓｉｇｎａｌ  Ｐｒｏｃｅｓｓｏｒ（ＢＳＰ）と、Ｒｅｍｏｔｅ  Ｒａｄｉｏ  Ｈｅａｄ（ＲＲＨ）とによって構成することが検討されている。図１には、２つのセルグループ（同図では、ＣｏＭＰグループ）が示されており、各セルグループは、３つのＲＲＨと１つのＢＳＰとによって構成されている。そして、各セルは、各ＲＲＨと１つのＢＳＰとのペア群のそれぞれに対応する。【００１０】
ＢＳＰは、端末への送信信号の生成、端末からの受信信号の復調、複数端末のスケジューリング等のベースバンド信号処理を行うプロセッサである。ＢＳＰは、複数のＲＲＨと有線（光ファイバ）で接続し、ＲＲＨを介して端末と通信する。なお、ＢＳＰは、Ｂａｓｅ  Ｂａｎｄ  Ｕｎｉｔ（ＢＢＵ）とも呼ばれることがある。【００１１】
ＲＲＨは、アンプとアンテナとから構成される。ＲＲＨは、下り回線では、ＢＳＰで生成したベースバンド信号を入力とし、入力したベースバンド信号に対して、Ｄ／Ａ変換、アップコンバート、増幅等の送信処理を施すことによって得られた信号を、アンテナを介して端末へ送出する。一方、ＲＲＨは、上り回線では、アンテナを介して受信した端末からの受信信号に対し、ダウンコンバート、Ａ／Ｄ変換等の受信処理を施すことによって得られたベースバンド信号を、ＢＳＰへ送出する。なお、ＲＲＨは、「張り出し基地局」とも呼ばれ、端末からセルとして認識される。【００１２】
ＬＴＥ−Ａｄｖａｎｃｅｄでは、図１に示すように、ＣｏＭＰは１つのＢＳＰに接続される複数のＲＲＨ（セル）の間でのみ適用されることが、検討されている。つまり、接続しているＢＳＰが異なる複数のＲＲＨの間には、ＣｏＭＰは適用されない。これは、ＣｏＭＰによる性能効果が小さいと予想されるためである。なぜならば、この種のＣｏＭＰを実行しようとすると、ＢＳＰ間に新規のＩ／Ｆを規定する必要があり、さらに、制御遅延が大きくなってしまうためである。ここで、１つのＢＳＰと当該ＢＳＰに接続される複数のＲＲＨとによる構成は、「ＣｏＭＰグループ」と呼ばれる。なお、ＣｏＭＰグループは、ＣｏＭＰ  ｃｏｏｐｅｒａｔｉｎｇ  ｓｅｔと呼ばれることがある。
【先行技術文献】
【非特許文献】
【００１３】
【非特許文献１】３ＧＰＰ  ＴＳ３６．３３１  ｖ９．４．０  （２０１０−０９）  ３ＧＰＰ  ＴＳＧＲＡＮ  Ｅ−ＵＴＲＡ  ＲＲＣ  Ｐｒｏｔｏｃｏｌ  ｓｐｅｃｉｆｉｃａｔｉｏｎ  （Ｒｅｌｅａｓｅ  ９）
【非特許文献２】３ＧＰＰ  ＴＳ３６．２１４  ｖ９．２．０  （２０１０−０６）  Ｐｈｙｓｉｃａｌ  ｌａｙｅｒ  −  Ｍｅａｓｕｒｅｍｅｎｔｓ  （Ｒｅｌｅａｓｅ  ９）
【非特許文献３】ＴＲ３６．８１４  Ｖ２．０．０（２０１０−０３）  Ｆｕｒｔｈｅｒ  Ａｄｖａｎｃｅｍｅｎｔｓ  ｆｏｒ  Ｅ−ＵＴＲＡ  −  Ｐｈｙｓｉｃａｌ  Ｌａｙｅｒ  Ａｓｐｅｃｔｓ  （Ｒｅｌｅａｓｅ  ９）
【発明の概要】
【発明が解決しようとする課題】
【００１４】
しかしながら、１つの端末と単独で下り回線通信を行うセルと、複数のセルが協調して１つの端末と下り回線通信を行うＣｏＭＰグループとが混在するシステムにおける、ハンドオーバー制御については、提案されていない。【００１５】
本発明の目的は、通信システム内に、複数のセルが協調して下り回線通信を行うセルグループが含まれる場合でも、適切なハンドオーバー制御を実現できる、端末及び品質送信方法を提供することである。
【課題を解決するための手段】
【００１６】
本発明の一態様の端末は、下り回線データを協調送信するセルグループを構成する複数のセルの内の全部又は一部から構成される品質算出対象グループから送信された参照信号を受信する受信手段と、前記受信された参照信号に基づいて、前記品質算出対象グループについての総合品質値を算出する算出手段と、前記算出された総合品質値が第１の閾値を超えるときに、前記品質算出対象グループに含まれる複数のセルの内の少なくとも１つのセルから送信された前記参照信号の品質に関する情報を、通信中のセルに送信する送信手段と、を具備する。【００１７】
本発明の一態様の品質送信方法は、下り回線データを協調送信するセルグループを構成する複数のセルの内の全部又は一部から構成される品質算出対象グループから送信された参照信号を受信し、前記受信された参照信号に基づいて、前記品質算出対象グループについての総合品質値を算出し、前記算出された総合品質値が第１の閾値を超えるときに、前記品質算出対象グループに含まれる複数のセルの内の少なくとも１つのセルから送信された前記参照信号の品質に関する情報を、通信中のセルに送信する。
【発明の効果】
【００１８】
本発明によれば、通信システム内に、複数のセルが協調して下り回線通信を行うセルグループが含まれる場合でも、適切なハンドオーバー制御を実現できる、端末及び品質送信方法を提供することができる。
【図面の簡単な説明】
【００１９】
【図１】ＣｏＭＰグループの説明に供する図
【図２】ＣｏＭＰグループを含む通信システムを示す図
【図３】図２の通信システムにおける各セルの受信レベルの一例を示す図
【図４】端末による品質報告の課題の説明に供する図
【図５】本発明の実施の形態１に係る端末の主要構成図
【図６】本発明の実施の形態１に係る端末の構成を示すブロック図
【図７】本発明の実施の形態１に係る基地局の構成を示すブロック図
【図８】端末及び基地局の動作説明に供する図
【図９】端末によるＣｏＭＰ用閾値設定、品質算出、トリガー条件判定、及び品質報告の説明に供する図
【図１０】本発明の実施の形態２に係る端末による品質算出、トリガー条件判定、及び品質報告の説明に供する図
【図１１】他の実施の形態（１）のトリガー条件の説明に供する図
【発明を実施するための形態】
【００２０】
本発明者らは、従来のハンドオーバー制御方法を、複数のセルが協調して下り回線通信を行うセルグループ（つまり、ＣｏＭＰグループ）を含む通信システムにそのまま適用する場合に生じる次の課題を見出した。
【００２１】
図２には、ＣｏＭＰグループを含む通信システムが示されている。図２の通信システムでは、セル＃Ａ〜Ｆの中でセル＃Ｄ、Ｅ、Ｆが、１つのＢＳＰに接続して１つのＣｏＭＰグループを構成している。一方、セル＃Ａ、Ｂ、ＣはＣｏＭＰが適用されないセルである。
【００２２】
図３は、セル＃Ａ〜Ｆのそれぞれの受信レベル（報告値）の一例を示した図である。図３では、閾値を超えた品質を持つセルの中で最も品質の高いセル＃Ａの品質が、基地局へ報告される。このため、その報告を行った端末は、セル＃Ａへハンドオーバーすることになる。しかし、ＣｏＭＰ適用可能なセル＃Ｄ、Ｅ、Ｆのいずれかにハンドオーバーさせれば、ＣｏＭＰの適用により、セル＃Ａの品質に比べてさらに良好な品質が得られる場合がある。
【００２３】
しかしながら、ＣｏＭＰ適用を考慮すればＣｏＭＰ適用可能なセル＃Ｄ、Ｅ、Ｆの品質が最も高いにも関わらず、従来のＭｅａｓｕｒｅｍｅｎｔ方法では、セル＃Ｄ、Ｅ、Ｆの品質情報は基地局へ報告されない。なぜならば、従来のＭｅａｓｕｒｅｍｅｎｔ方法では、セル単位の品質を閾値と比べて、閾値を超えた品質を持つセルの中で最も品質の高いセルの品質のみが報告対象となるためである。すなわち、図３に示した例では、ＣｏＭＰ適用可能なセル＃Ｄ、Ｅ、Ｆは、その品質が閾値を超えていない上、最も品質の良いセルにも該当しないため、品質の報告対象とはならない。
【００２４】
この不都合を回避するための方策として、図４に示すように、報告のトリガー条件である閾値を下げることが単純に考えられる。これにより、端末はセル＃Ａ〜Ｆの全ての品質を基地局へ報告でき、この結果、基地局はＣｏＭＰによる性能改善効果を推測することができる。しかしながら、この方法では、報告が頻繁に発生するとともに報告対象となるセルの数が増大するため、システムのオーバーヘッドが増加するという課題が生じる。
【００２５】
このような課題に鑑みて、本発明者らは、本願発明に到った。
【００２６】
以下、本発明の実施の形態について図面を参照して詳細に説明する。なお、実施の形態において、同一の構成要素には同一の符号を付し、その説明は重複するので省略する。
【００２７】
［実施の形態１］
［端末の主要構成］
図５は、本発明の実施の形態１に係る端末の主要構成図である。図５の端末１００において、受信処理部１０２が、下り回線データを協調送信するセルグループを構成するセル群の内の全部によって構成される品質算出対象グループから送信された参照信号を受信し、受信された参照信号をＣｏＭＰ品質算出部１０５に出力する。ＣｏＭＰ品質算出部１０５が、受信された参照信号に基づいて、品質算出対象グループについての総合品質値を算出し、算出された総合品質値をＭｅａｓｕｒｅｍｅｎｔ制御部１０６に出力する。Ｍｅａｓｕｒｅｍｅｎｔ制御部１０６が、算出された総合品質値が閾値を超えるときに、品質算出対象グループに含まれるセル群の内の少なくとも１つのセルから送信された参照信号の品質に関する情報を、サービングセルに送信する。
【００２８】
［端末の構成］
図６は、本発明の実施の形態１に係る端末の構成を示すブロック図である。図６において、端末１００は、受信部１０１と、受信処理部１０２と、Ｍｅａｓｕｒｅｍｅｎｔ設定部１０３と、Ｎｏｎ−ＣｏＭＰ品質算出部１０４と、ＣｏＭＰ品質算出部１０５と、Ｍｅａｓｕｒｅｍｅｎｔ制御部１０６と、送信処理部１０７と、送信部１０８とを有する。
【００２９】
受信部１０１は、後述する基地局２００から送信された信号をアンテナを介して受信し、当該受信信号に対して受信無線処理（ダウンコンバート、Ａ／Ｄ変換等）を施す。こうして得られた受信無線処理後の受信信号は、受信処理部１０２へ出力される。
【００３０】
受信処理部１０２は、受信部１０１から受け取る信号に対して受信処理（復調、復号等）を行い、受信処理後の信号からＭｅａｓｕｒｅｍｅｎｔに用いる信号（つまり、各セルが送信した、参照信号及びデータ信号など）を抽出する。この抽出された信号は、Ｍｅａｓｕｒｅｍｅｎｔ設定部１０３、Ｎｏｎ−ＣｏＭＰ品質算出部１０４、及びＣｏＭＰ品質算出部１０５へ出力される。
【００３１】
Ｍｅａｓｕｒｅｍｅｎｔ設定部１０３は、受信処理部１０２から受け取る信号から、サービングセルに対応する基地局２００から送信された制御情報を抽出し、当該制御情報をＮｏｎ−ＣｏＭＰ品質算出部１０４、ＣｏＭＰ品質算出部１０５、及びＭｅａｓｕｒｅｍｅｎｔ制御部１０６に出力する。
【００３２】
サービングセルに対応する基地局２００から送信された制御情報には、従来からＭｅａｓｕｒｅｍｅｎｔで用いられる情報に加えて、ＣｏＭＰグループに含まれるセル群の内でＣｏＭＰ品質推定対象のセル群（つまり、ＣｏＭＰ品質算出対象グループ）の識別情報及びＣｏＭＰ用閾値が含まれる。なお、上記Ｍｅａｓｕｒｅｍｅｎｔで用いられる情報とは、測定対象（キャリア周波数等）、サービングセルおよび隣接セルリスト（セルＩＤのリスト）、測定タイミング、報告値に関する詳細（報告値の種別、報告値を送信するトリガー条件、及びトリガー条件と対応づけられたＩＤ等）についての情報である。
【００３３】
ここでは、ＣｏＭＰ品質算出対象グループは、ＣｏＭＰグループと一致する。そして、ＣｏＭＰ品質算出対象グループ識別情報（又は、ＣｏＭＰグループ識別情報）には、そのグループに属する複数のセルに対応する複数のセルＩＤが含まれる。また、ＣｏＭＰ品質算出対象グループ識別情報（又は、ＣｏＭＰグループ識別情報）は、ＲＲＣシグナリングによって、サービングセルに対応する基地局２００から端末１００へ通知されても良い。さらには、ＣｏＭＰ品質算出対象グループ識別情報は、セルＩＤの中に含められて、サービングセルに対応する基地局２００から端末１００へ通知されても良いし、報知情報に含められて、サービングセルに対応する基地局２００から端末１００へ通知されても良い。
【００３４】
また、ここでは、ＣｏＭＰ用閾値には、従来の各セルの測定品質に対する閾値（つまり、Ｎｏｎ−ＣｏＭＰ用閾値）とは異なる値が独立に設定される。
【００３５】
Ｎｏｎ−ＣｏＭＰ品質算出部１０４は、Ｍｅａｓｕｒｅｍｅｎｔ設定部１０３から受け取る制御情報に基づいて、サービングセルおよび隣接セルの品質（例えば、ＲＳＲＰ又はＲＳＲＱ）を、セル単位で測定する。この品質測定には、サービングセルおよび隣接セルのそれぞれから送信された、参照信号又はデータ信号が用いられる。そして、サービングセルおよび隣接セルのそれぞれについての品質測定値は、Ｍｅａｓｕｒｅｍｅｎｔ制御部１０６へ出力される。この品質測定値は、「Ｎｏｎ−ＣｏＭＰ品質」と呼ばれることがある。
【００３６】
ＣｏＭＰ品質算出部１０５は、Ｍｅａｓｕｒｅｍｅｎｔ設定部１０３から受け取る制御情報に基づいて、ＣｏＭＰによる品質改善効果を考慮した品質（例えば、ＲＳＲＰ又はＲＳＲＱ）を、ＣｏＭＰ品質算出対象グループ単位で算出する。すなわち、ＣｏＭＰ品質算出部１０５は、Ｍｅａｓｕｒｅｍｅｎｔ設定部１０３から受け取る制御情報に含まれるＣｏＭＰ品質算出対象グループ識別情報によって示されるグループを構成する複数のセルのそれぞれの品質（例えば、ＲＳＲＰ又はＲＳＲＱ）を測定する。そして、ＣｏＭＰ品質算出部１０５は、当該複数のセルについて測定された複数の品質結果に基づいて、ＣｏＭＰ品質算出対象グループについての「総合品質（つまり、ＣｏＭＰ品質）」を算出する。
【００３７】
具体的には、ＣｏＭＰ品質算出部１０５は、ＣｏＭＰ品質算出対象グループ識別情報によって示されるグループを構成する複数のセルのそれぞれから受信した参照信号を合成し、合成信号に基づいて「総合品質」を算出する。詳細には、ＣｏＭＰ品質算出部１０５は、ＣｏＭＰ品質算出対象グループ識別情報によって示されるグループを構成する複数のセルのそれぞれから受信した参照信号と予め保持されているレプリカ信号（各セルから送信された参照信号と同じ信号）とを相関演算することにより、各セルにおける周波数応答を算出する。この周波数応答に基づいて、ＣｏＭＰ品質算出部１０５は、各セルの最適な送信ウェイトを計算できる。従って、ＣｏＭＰ品質算出部１０５は、計算された最適な送信ウェイトを適用した合成信号に基づいて、「総合品質」を算出することができる。
【００３８】
算出された総合品質値は、Ｍｅａｓｕｒｅｍｅｎｔ制御部１０６へ出力される。
【００３９】
Ｍｅａｓｕｒｅｍｅｎｔ制御部１０６は、Ｍｅａｓｕｒｅｍｅｎｔ設定部１０３から受け取る制御情報に基づいてＣｏＭＰ用閾値を設定し、ＣｏＭＰ品質算出部１０５から受け取る総合品質値がＣｏＭＰ用閾値を超える場合に、ＣｏＭＰ品質算出対象グループに含まれる複数のセルの内の少なくとも１つのセルのＮｏｎ−ＣｏＭＰ品質を送信する。具体的には、Ｍｅａｓｕｒｅｍｅｎｔ制御部１０６は、ＣｏＭＰ品質算出部１０５から受け取る総合品質値がＣｏＭＰ用閾値を超える場合、ＣｏＭＰ品質算出対象グループに含まれる複数のセルの内の少なくとも１つのセルを選択する。そして、Ｍｅａｓｕｒｅｍｅｎｔ制御部１０６は、選択したセルのセルＩＤ及びＮｏｎ−ＣｏＭＰ品質と、総合品質値が閾値を超えたことによる報告であることを明示する情報（例えば、予め基地局２００から通知された複数のトリガー条件に対応づけられたＩＤ）とを含めた報告情報を生成する。この報告情報は、送信処理部１０７、送信部１０８、及びアンテナを介して送信される。
【００４０】
送信処理部１０７は、Ｍｅａｓｕｒｅｍｅｎｔ制御部１０６で生成された報告情報に対して送信処理（参照信号の多重、符号化処理、変調処理等）を施し、送信処理後の信号を送信部１０８へ出力する。
【００４１】
送信部１０８は、送信処理部１０７から受け取る送信信号に対して、送信無線処理（無線周波数への周波数変換、電力増幅、送信フィルタ処理等）を施し、送信無線処理後の信号をアンテナを介して送信する。
【００４２】
［基地局の構成］
図７は、本発明の実施の形態１に係る基地局の構成を示すブロック図である。図７において、基地局２００は、Ｍｅａｓｕｒｅｍｅｎｔ設定部２０１と、送信処理部２０２と、送信部２０３と、受信部２０４と、受信処理部２０５と、報告情報抽出部２０６と、ハンドオーバー制御部２０７とを有する。基地局２００は、サービングセルに対応し、ＣｏＭＰグループに属する基地局又はＣｏＭＰグループに属さない基地局（つまり、単独で下り回線データを送信する基地局）である。ＣｏＭＰグループに属する基地局である場合には、基地局２００の構成要素の内、送信部２０３及び受信部２０４は、ＲＲＨに属し、送信処理部２０２、受信処理部２０５、報告情報抽出部２０６、及びハンドオーバー制御部２０７は、ＢＳＰに属する。
【００４３】
Ｍｅａｓｕｒｅｍｅｎｔ設定部２０１は、端末１００におけるＭｅａｓｕｒｅｍｅｎｔに必要な制御情報を生成する。この制御情報には、上記の通り、従来からＭｅａｓｕｒｅｍｅｎｔで用いられる情報に加えて、ＣｏＭＰグループに含まれるセル群の内でＣｏＭＰ品質推定対象のセル群（つまり、ＣｏＭＰ品質算出対象グループ）の識別情報及びＣｏＭＰ用閾値が含まれる。なお、上記Ｍｅａｓｕｒｅｍｅｎｔで用いられる情報とは、測定対象（キャリア周波数等）、サービングセルおよび隣接セルリスト（セルＩＤのリスト）、測定タイミング、報告値に関する詳細（報告値の種別、報告値を送信するトリガー条件、及びトリガー条件と対応づけられたＩＤ等）についての情報である。
【００４４】
そして、Ｍｅａｓｕｒｅｍｅｎｔ設定部２０１は、生成した制御情報を、ハンドオーバー制御部２０７に出力すると共に、送信処理部２０２、送信部２０３、及びアンテナを介して端末１００へ送信する。
【００４５】
送信処理部２０２は、Ｍｅａｓｕｒｅｍｅｎｔ設定部２０１で生成された制御情報及びハンドオーバー制御部２０７で生成されたハンドオーバー指示情報に対して送信処理（参照信号の多重、符号化処理、変調処理等）を施し、送信処理後の信号を送信２０３へ出力する。
【００４６】
送信部２０３は、送信処理部２０２から受け取る送信信号に対して、送信無線処理（無線周波数への周波数変換、電力増幅、送信フィルタ処理等）を施し、送信無線処理後の信号をアンテナを介して送信する。
【００４７】
受信部２０４は、端末１００から送信された信号をアンテナを介して受信し、当該受信信号に対して受信無線処理（ダウンコンバート、Ａ／Ｄ変換等）を施す。こうして得られた受信無線処理後の受信信号は、受信処理部２０５へ出力される。
【００４８】
受信処理部２０５は、受信部２０４から受け取る信号に対して受信処理（復調、復号等）を行い、当該受信処理された信号は、報告情報抽出部２０６へ出力される。
【００４９】
報告情報抽出部２０６は、受信処理部２０５から受け取る信号から、端末１００から送信された報告情報を抽出し、当該抽出された報告情報をハンドオーバー制御部２０７へ出力する。この報告情報には、上記の通り、選択されたセルのセルＩＤ及びＮｏｎ−ＣｏＭＰ品質と、総合品質値が閾値を超えたことによる報告であることを明示する情報（例えば、予め基地局２００から通知された複数のトリガー条件に対応づけられたＩＤ）とが含まれる。
【００５０】
ハンドオーバー制御部２０７は、報告情報抽出部２０６から受け取る報告情報に基づいて、端末１００のハンドオーバー制御を実行する。具体的には、ハンドオーバー制御部２０７は、報告情報抽出部２０６から受け取る報告情報及びＭｅａｓｕｒｅｍｅｎｔ設定部２０１から受け取る制御情報に基づいて、端末１００をハンドオーバーさせるか否か、及び、ハンドオーバーさせるときにはどのセルへハンドオーバーさせるか（つまり、ハンドオーバー先セル）を決定する。当該決定の際には、端末１００からの報告情報（トリガー条件の種別、報告情報に含まれる品質値（ＣｏＭＰ品質及びＮｏｎ−ＣｏＭＰ品質を含む）、当該品質値の対応するセル識別情報）及び各セルのトラヒック状況等が考慮される。ここで、上記決定の際には、ＣｏＭＰ品質だけでなく、Ｎｏｎ−ＣｏＭＰ品質も考慮される必要がある。なぜなら、制御信号には、ＣｏＭＰが適用されず、１つのセル（サービングセル）からのみ送信されるためである。
【００５１】
そして、ハンドオーバー制御部２０７は、端末１００をハンドオーバーさせると決定した場合には、その端末１００に対してハンドオーバー指示情報を、送信処理部２０２、送信部２０３、及びアンテナを介して送信する。
【００５２】
［端末１００及び基地局２００の動作］
以上の構成を有する端末１００及び基地局２００の動作について説明する。図８は、端末１００及び基地局２００の動作説明に供する図である。
【００５３】
ステップＳＴ３０１で、基地局２００のＭｅａｓｕｒｅｍｅｎｔ設定部２０１は、端末１００におけるＭｅａｓｕｒｅｍｅｎｔに必要な制御情報（つまり、Ｍｅａｓｕｒｅｍｅｎｔ用パラメータ）を端末１００へ送信する。
【００５４】
ステップＳＴ３０２で、端末１００のＣｏＭＰ品質算出部１０５は、基地局２００から送信された制御情報に基づいて、ＣｏＭＰ品質算出対象グループ識別情報によって示されるグループを構成する複数のセルのそれぞれの品質（例えば、ＲＳＲＰ又はＲＳＲＱ）を測定する。そして、ＣｏＭＰ品質算出部１０５は、測定された当該複数のセルの品質結果に基づいて、ＣｏＭＰ品質算出対象グループの「総合品質（つまり、ＣｏＭＰ品質）」を算出する。このとき、Ｎｏｎ−ＣｏＭＰ品質算出部１０４は、基地局２００から送信された制御情報に基づいて、サービングセルおよび隣接セルの品質をセル単位で測定する。
【００５５】
ステップＳＴ３０３で、端末１００のＭｅａｓｕｒｅｍｅｎｔ制御部１０６は、ＣｏＭＰ品質算出部１０５から受け取る総合品質値がＣｏＭＰ用閾値を超えているか否か（つまり、トリガー条件を満たすか）を判定する。
【００５６】
そして、Ｍｅａｓｕｒｅｍｅｎｔ制御部１０６は、ＣｏＭＰ品質算出部１０５から受け取る総合品質値がＣｏＭＰ用閾値を超える場合には、ステップＳＴ３０４で、ＣｏＭＰ品質算出対象グループに含まれる複数のセルの内の少なくとも１つのセルのＮｏｎ−ＣｏＭＰ品質を送信する。このＮｏｎ−ＣｏＭＰ品質は、報告情報に含められて送信される。
【００５７】
ステップＳＴ３０５で、基地局２００のハンドオーバー制御部２０７は、端末１００から送信された報告情報に基づいて、端末１００のハンドオーバー制御を実行する。具体的には、ハンドオーバー制御部２０７は、報告情報抽出部２０６から受け取る報告情報及びＭｅａｓｕｒｅｍｅｎｔ設定部２０１から受け取る制御情報に基づいて、端末１００をハンドオーバーさせるか否か、及び、ハンドオーバーさせるときにはどのセルへハンドオーバーさせるか（つまり、ハンドオーバー先セル）を決定する。
【００５８】
端末１００をハンドオーバーさせると決定された場合には、ステップＳＴ３０６で、ハンドオーバー制御部２０７は、端末１００に対してハンドオーバー指示情報を送信する。
【００５９】
図９は、端末１００によるＣｏＭＰ用閾値設定、品質算出、トリガー条件判定、及び品質報告の説明に供する図である。図９において、セル＃Ａ〜Ｃは、ＣｏＭＰが適用されないセルであり、セル＃Ｄ〜Ｆは、同じＣｏＭＰ品質算出対象グループに属するセルである。
【００６０】
＜ＣｏＭＰ用閾値設定＞
Ｍｅａｓｕｒｅｍｅｎｔ設定部１０３は、受信処理部１０２から受け取る信号から、サービングセルに対応する基地局２００から送信された制御情報を抽出し、当該制御情報をＮｏｎ−ＣｏＭＰ品質算出部１０４、ＣｏＭＰ品質算出部１０５、及びＭｅａｓｕｒｅｍｅｎｔ制御部１０６に出力する。
【００６１】
このサービングセルに対応する基地局２００から送信された制御情報には、従来からＭｅａｓｕｒｅｍｅｎｔで用いられる情報に加えて、ＣｏＭＰグループに含まれるセル群の内でＣｏＭＰ品質推定対象のセル群（つまり、ＣｏＭＰ品質算出対象グループ）の識別情報及びＣｏＭＰ用閾値が含まれる。なお、上記Ｍｅａｓｕｒｅｍｅｎｔで用いられる情報とは、測定対象（キャリア周波数等）、サービングセルおよび隣接セルリスト（セルＩＤのリスト）、測定タイミング、報告値に関する詳細（報告値の種別、報告値を送信するトリガー条件、及びトリガー条件と対応づけられたＩＤ等）についての情報である。
【００６２】
そして、ＣｏＭＰ用閾値には、従来の各セルの測定品質に対する閾値（つまり、Ｎｏｎ−ＣｏＭＰ用閾値）とは異なる値が独立に設定される。Ｎｏｎ−ＣｏＭＰ用閾値は、１セルを対象とした受信品質と比較される閾値である。そして、ＣｏＭＰ用閾値の値は、Ｎｏｎ−ＣｏＭＰ用閾値の値よりも大きい（図９参照）。
【００６３】
＜品質算出＞
Ｎｏｎ−ＣｏＭＰ品質算出部１０４は、Ｍｅａｓｕｒｅｍｅｎｔ設定部１０３から受け取る制御情報に基づいて、サービングセルおよび隣接セルの品質（例えば、ＲＳＲＰ又はＲＳＲＱ）を、セル単位で測定する。
【００６４】
また、ＣｏＭＰ品質算出部１０５は、Ｍｅａｓｕｒｅｍｅｎｔ設定部１０３から受け取る制御情報に含まれるＣｏＭＰ品質算出対象グループ識別情報によって示されるグループを構成する複数のセルのそれぞれの品質（例えば、ＲＳＲＰ又はＲＳＲＱ）を測定する。そして、ＣｏＭＰ品質算出部１０５は、当該複数のセルについて測定された複数の品質結果に基づいて、ＣｏＭＰ品質算出対象グループについての「総合品質（つまり、ＣｏＭＰ品質）」を算出する。ここでは、ＣｏＭＰ品質算出対象グループは、ＣｏＭＰグループと一致する。
【００６５】
具体的には、ＣｏＭＰ品質算出部１０５は、ＣｏＭＰ品質算出対象グループ識別情報によって示されるグループを構成する複数のセルのそれぞれから受信した参照信号を合成し、合成信号に基づいて「総合品質」を算出する。詳細には、ＣｏＭＰ品質算出部１０５は、ＣｏＭＰ品質算出対象グループ識別情報によって示されるグループを構成する複数のセルのそれぞれから受信した参照信号と予め保持されているレプリカ信号（各セルから送信された参照信号と同じ信号）とを相関演算することにより、各セルにおける周波数応答を算出する。この周波数応答に基づいて、ＣｏＭＰ品質算出部１０５は、各セルの最適な送信ウェイトを計算できる。従って、ＣｏＭＰ品質算出部１０５は、計算された最適な送信ウェイトを適用した合成信号に基づいて、「総合品質」を算出することができる。図９では、セル＃Ｄ〜Ｆについての「総合品質」が算出される。
【００６６】
＜トリガー条件判定＞
Ｍｅａｓｕｒｅｍｅｎｔ制御部１０６は、上述したようにＭｅａｓｕｒｅｍｅｎｔ設定部１０３から受け取る制御情報に基づいてＣｏＭＰ用閾値を設定し、ＣｏＭＰ品質算出部１０５から受け取る総合品質値がＣｏＭＰ用閾値を超えるか否かを判定する。すなわち、ＣｏＭＰ品質算出部１０５から受け取る総合品質値がＣｏＭＰ用閾値を超えることが、ＣｏＭＰ品質算出対象グループに含まれる複数のセルのＮｏｎ−ＣｏＭＰ品質を送信するトリガー条件となっている。図９では、セル＃Ｄ〜ＦについてのＣｏＭＰ品質がＣｏＭＰ用閾値を超えているので、トリガー条件が満たされている。また、セル＃Ａの品質もＮｏｎ−ＣｏＭＰ用閾値を超えているので、Ｎｏｎ−ＣｏＭＰが適用されないセルのＮｏｎ−ＣｏＭＰ品質を送信するトリガー条件が満たされている。
【００６７】
ここで、ＣｏＭＰ品質とＮｏｎ−ＣｏＭＰ品質とを比べると、ＣｏＭＰ品質の値の方が、Ｎｏｎ−ＣｏＭＰ品質の値よりも大きくなる。従って、Ｎｏｎ−ＣｏＭＰ用閾値の他に、ＣｏＭＰ用閾値を別途設定することにより、ＣｏＭＰを利用することにより大きな伝送特性向上効果が見込められるときにのみ、ＣｏＭＰ品質算出対象グループのＮｏｎ−ＣｏＭＰ品質を送信することができる。
【００６８】
＜品質報告＞
Ｍｅａｓｕｒｅｍｅｎｔ制御部１０６は、トリガー条件が満たされる場合（つまり、ＣｏＭＰ品質算出部１０５から受け取る総合品質値がＣｏＭＰ用閾値を超える場合）に、ＣｏＭＰ品質算出対象グループに含まれる複数のセルの内の少なくとも１つのセルのＮｏｎ−ＣｏＭＰ品質を送信する。図９に示す状況では、先ず、セル＃Ａの品質がＮｏｎ−ＣｏＭＰ用閾値を超えているので、当該品質は、端末１００から基地局２００へ報告される。さらに、セル＃Ｄ〜ＦについてのＣｏＭＰ品質もＣｏＭＰ用閾値を超えているので、セル＃Ｄ〜Ｆの内の少なくとも１つのセルのＮｏｎ−ＣｏＭＰ品質も、端末１００から基地局２００へ報告される。
【００６９】
ここで、ＣｏＭＰ品質算出対象グループに含まれる複数のセルの内でＮｏｎ−ＣｏＭＰ品質の送信対象となるセルは、ＣｏＭＰ品質算出対象グループに含まれる全てのセルであっても良い。これにより、基地局２００は、ＣｏＭＰ品質算出対象グループに含まれる複数セルの中から、トラフィック状況を加味してハンドオーバー先のセルを選択することができる。
【００７０】
また、ＣｏＭＰ品質算出対象グループに含まれる複数のセルの内でＮｏｎ−ＣｏＭＰ品質の送信対象となるセルは、ＣｏＭＰ品質算出対象グループに含まれる一部のセルであっても良い。例えば、ＣｏＭＰ品質算出対象グループに含まれる複数のセルの内でＮｏｎ−ＣｏＭＰ品質の送信対象となるセルは、最大のＮｏｎ−ＣｏＭＰ品質となるセルのみでも良い。これにより、基地局２００はＣｏＭＰグループ内で最も品質が良いセルへ端末１００をハンドオーバーさせることができる。
【００７１】
また、Ｍｅａｓｕｒｅｍｅｎｔ制御部１０６は、ＣｏＭＰ品質算出対象グループのＮｏｎ−ＣｏＭＰ品質の他に、ＣｏＭＰ品質を送信しても良い。これにより、基地局２００は、ＣｏＭＰ品質が閾値を超えたことだけでなく、品質の絶対値を把握することができる。
【００７２】
以上のように本実施の形態によれば、端末１００において、ＣｏＭＰ品質算出部１０５が、品質算出対象グループから送信された参照信号に基づいて、品質算出対象グループの総合品質値を算出し、Ｍｅａｓｕｒｅｍｅｎｔ制御部１０６が、算出された総合品質値がＣｏＭＰ閾値を超えるときに、品質算出対象グループに含まれるセル群の内の少なくとも１つのセルから送信された参照信号の品質を、通信中のサービングセル（つまり、基地局２００）に送信する。
【００７３】
こうすることで、品質報告の頻繁な発生を防止しつつ、ＣｏＭＰによる性能改善が期待できるセルへ端末１００をハンドオーバーさせることができ、結果として、システム性能を向上できる。すなわち、通信システム内に、複数のセルで協調して下り回線通信を行うセルグループが含まれる場合でも、適切なハンドオーバー制御を実現できる。
【００７４】
ＣｏＭＰ品質算出部１０５は、品質算出対象グループに対応する受信参照信号群を、算出した最適な送信ウェイトを用いて合成した合成信号に基づいて総合品質値を算出する。
【００７５】
なお、基地局２００では、品質算出対象グループの総合品質値を算出することができない。これは、ＬＴＥ−Ａｄｖａｎｃｅｄでは、通知量削減の観点から、端末１００は情報量の大きい周波数応答（複素数）の報告をせず、情報量の小さい電力レベル又はＳＩＮＲ相当の情報（ＲＳＲＰ、ＲＳＲＱ等）の報告をする。よって、基地局２００は、周波数応答から得られる各セルの最適な送信ウェイト（複素数）を計算できないので、品質算出対象グループの総合品質値を正確に算出することができない。
【００７６】
［実施の形態２］
実施の形態１では、ＣｏＭＰ品質算出対象グループについての総合品質値がＣｏＭＰ用閾値を超えることが、そのＣｏＭＰ品質算出対象グループのＮｏｎ−ＣｏＭＰ品質を送信するトリガー条件とされた。これに対して、実施の形態２では、ＣｏＭＰ品質算出対象グループに含まれる複数のセルのそれぞれのＮｏｎ−ＣｏＭＰ品質にオフセット値を加算することにより得られる加算値群の内で１つでもＮｏｎ−ＣｏＭＰ用閾値を超えることが、そのＣｏＭＰ品質算出対象グループのＮｏｎ−ＣｏＭＰ品質を送信するトリガー条件とされる。実施の形態２に係る基地局及び端末は、実施の形態１に係る端末１００及び基地局２００と同様であるので、図６及び７を援用して説明する。
【００７７】
実施の形態２の端末１００において、Ｍｅａｓｕｒｅｍｅｎｔ設定部１０３は、受信処理部１０２から受け取る信号から、サービングセルに対応する基地局２００から送信された制御情報を抽出し、当該制御情報をＮｏｎ−ＣｏＭＰ品質算出部１０４、ＣｏＭＰ品質算出部１０５、及びＭｅａｓｕｒｅｍｅｎｔ制御部１０６に出力する。
【００７８】
実施の形態２では、ＣｏＭＰ用閾値に対しては、従来の各セルの測定品質に対する閾値（つまり、Ｎｏｎ−ＣｏＭＰ用閾値）と同じ値が設定される。すなわち、実施の形態２では、Ｎｏｎ−ＣｏＭＰ用閾値だけ設定されても良い。
【００７９】
ＣｏＭＰ品質算出部１０５は、Ｍｅａｓｕｒｅｍｅｎｔ設定部１０３から受け取る制御情報に基づいて、ＣｏＭＰによる品質改善効果を考慮した品質（例えば、ＲＳＲＰ又はＲＳＲＱ）を、ＣｏＭＰ品質算出対象グループを構成するセル毎に算出する。ＣｏＭＰ品質算出部１０５は、Ｍｅａｓｕｒｅｍｅｎｔ設定部１０３から受け取る制御情報に含まれるＣｏＭＰ品質算出対象グループ識別情報によって示されるグループを構成する複数のセルのそれぞれの品質（例えば、ＲＳＲＰ又はＲＳＲＱ）を測定する。そして、ＣｏＭＰ品質算出部１０５は、当該複数のセルについて測定された複数の品質結果に基づいて、ＣｏＭＰ品質算出対象グループについての「総合品質（つまり、ＣｏＭＰ品質）」を算出する。
【００８０】
具体的には、ＣｏＭＰ品質算出部１０５は、Ｍｅａｓｕｒｅｍｅｎｔ設定部１０３から受け取る制御情報に含まれるＣｏＭＰ品質算出対象グループ識別情報によって示されるグループを構成する複数のセルのそれぞれの品質（例えば、ＲＳＲＰ又はＲＳＲＱ）を測定する。そして、ＣｏＭＰ品質算出部１０５は、当該複数のセルについて測定された複数の品質結果のそれぞれにオフセット値を加算することにより、「総合品質」を算出する。ここで、オフセット値は、ＣｏＭＰ品質算出対象グループ単位で設定される。
【００８１】
Ｍｅａｓｕｒｅｍｅｎｔ制御部１０６は、ＣｏＭＰ品質算出部１０５から受け取る総合品質値がＣｏＭＰ用閾値を超える場合に、ＣｏＭＰ品質算出対象グループに含まれる複数のセルの内の少なくとも１つのセルのＮｏｎ−ＣｏＭＰ品質を送信する。具体的には、Ｍｅａｓｕｒｅｍｅｎｔ制御部１０６は、ＣｏＭＰ品質算出対象グループに含まれる複数のセルのそれぞれのＮｏｎ−ＣｏＭＰ品質にオフセット値を加算することにより得られる加算値群の内で１つでもＮｏｎ−ＣｏＭＰ用閾値を超える場合に、ＣｏＭＰ品質算出対象グループに含まれる複数のセルの内の少なくとも１つのセルのＮｏｎ−ＣｏＭＰ品質を送信する。
【００８２】
実施の形態２の基地局２００において、Ｍｅａｓｕｒｅｍｅｎｔ設定部２０１は、上記したオフセット値を決定する。このオフセット値は、制御情報に含められて、送信処理部２０２、送信部２０３、及びアンテナを介して端末１００へ送信される。
【００８３】
以上の構成を有する実施の形態２の端末１００の動作について説明する。図１０は、端末１００による品質算出、トリガー条件判定、及び品質報告の説明に供する図である。図１０において、セル＃Ａ〜Ｃは、ＣｏＭＰが適用されないセルであり、セル＃Ｄ〜Ｆは、同じＣｏＭＰ品質算出対象グループに属するセルである。
【００８４】
＜品質算出＞
Ｎｏｎ−ＣｏＭＰ品質算出部１０４は、Ｍｅａｓｕｒｅｍｅｎｔ設定部１０３から受け取る制御情報に基づいて、サービングセルおよび隣接セルの品質（例えば、ＲＳＲＰ又はＲＳＲＱ）を、セル単位で測定する。
【００８５】
ＣｏＭＰ品質算出部１０５は、Ｍｅａｓｕｒｅｍｅｎｔ設定部１０３から受け取る制御情報に基づいて、ＣｏＭＰによる品質改善効果を考慮した品質（例えば、ＲＳＲＰ又はＲＳＲＱ）を、ＣｏＭＰ品質算出対象グループを構成するセル毎に算出する。ＣｏＭＰ品質算出部１０５は、Ｍｅａｓｕｒｅｍｅｎｔ設定部１０３から受け取る制御情報に含まれるＣｏＭＰ品質算出対象グループ識別情報によって示されるグループを構成する複数のセルのそれぞれの品質（例えば、ＲＳＲＰ又はＲＳＲＱ）を測定する。そして、ＣｏＭＰ品質算出部１０５は、当該複数のセルについて測定された複数の品質結果に基づいて、ＣｏＭＰ品質算出対象グループについての「総合品質（つまり、ＣｏＭＰ品質）」を算出する。
【００８６】
具体的には、ＣｏＭＰ品質算出部１０５は、Ｍｅａｓｕｒｅｍｅｎｔ設定部１０３から受け取る制御情報に含まれるＣｏＭＰ品質算出対象グループ識別情報によって示されるグループを構成する複数のセルのそれぞれの品質（例えば、ＲＳＲＰ又はＲＳＲＱ）を測定し、当該複数のセルについて測定された複数の品質結果のそれぞれにオフセット値を加算することにより、「総合品質」を算出する。
【００８７】
ここで、オフセット値は、各セルの制御信号の受信に必要な品質を最低限満たすセルの品質が報告されるように、式（１）を満たす値に設定される。
オフセット≦Ｎｏｎ−ＣｏＭＰ用閾値−制御信号の受信に必要な品質・・・式（１）
【００８８】
＜トリガー条件判定＞
Ｍｅａｓｕｒｅｍｅｎｔ制御部１０６は、ＣｏＭＰ品質算出部１０５から受け取る総合品質値がＮｏｎ−ＣｏＭＰ用閾値を超えるか否かを判定する。すなわち、ＣｏＭＰ品質算出部１０５から受け取る総合品質値がＮｏｎ−ＣｏＭＰ用閾値を超えることが、ＣｏＭＰ品質算出対象グループに含まれる複数のセルのＮｏｎ−ＣｏＭＰ品質を送信するトリガー条件となっている。詳細には、ＣｏＭＰ品質算出対象グループに含まれる複数のセルのそれぞれのＮｏｎ−ＣｏＭＰ品質にオフセット値を加算することにより得られる加算値群の内で１つでもＮｏｎ−ＣｏＭＰ用閾値を超えることが、そのＣｏＭＰ品質算出対象グループに含まれる複数のセルのＮｏｎ−ＣｏＭＰ品質を送信するトリガー条件となっている。図１０では、セル＃Ｄ〜ＦについてのＣｏＭＰ品質もＮｏｎ−ＣｏＭＰ用閾値を超えているので、トリガー条件が満たされている。また、セル＃Ａの品質もＮｏｎ−ＣｏＭＰ用閾値を超えているので、Ｎｏｎ−ＣｏＭＰが適用されないセルのＮｏｎ−ＣｏＭＰ品質を送信するトリガー条件が満たされている。
【００８９】
＜品質報告＞
Ｍｅａｓｕｒｅｍｅｎｔ制御部１０６は、トリガー条件が満たされる場合に、ＣｏＭＰ品質算出対象グループに含まれる複数のセルの内の少なくとも１つのセルのＮｏｎ−ＣｏＭＰ品質を送信する。上記トリガー条件が満たされる場合とは、ＣｏＭＰ品質算出対象グループに含まれる複数のセルのそれぞれのＮｏｎ−ＣｏＭＰ品質にオフセット値を加算することにより得られる加算値群の内で１つでもＮｏｎ−ＣｏＭＰ用閾値を超える場合である。図１０に示す状況では、先ず、セル＃Ａの品質がＮｏｎ−ＣｏＭＰ用閾値を超えているので、当該品質は、端末１００から基地局２００へ報告される。さらに、セル＃Ｄ〜ＦについてのＣｏＭＰ品質もＮｏｎ−ＣｏＭＰ用閾値を超えているので、セル＃Ｄ〜Ｆの内の少なくとも１つのセルのＮｏｎ−ＣｏＭＰ品質も、端末１００から基地局２００へ報告される。
【００９０】
ここで、ＣｏＭＰ品質算出対象グループに含まれる複数のセルの内でＮｏｎ−ＣｏＭＰ品質の送信対象となるセルは、ＣｏＭＰ品質算出対象グループに含まれる全てのセルであっても良い。これにより、基地局２００は、ＣｏＭＰ品質算出対象グループに含まれる複数セルの中から、トラフィック状況を加味してハンドオーバー先のセルを選択することができる。
【００９１】
また、ＣｏＭＰ品質算出対象グループに含まれる複数のセルの内でＮｏｎ−ＣｏＭＰ品質の送信対象となるセルは、ＣｏＭＰ品質算出対象グループに含まれる一部のセルであっても良い。例えば、ＣｏＭＰ品質算出対象グループに含まれる複数のセルの内でＮｏｎ−ＣｏＭＰ品質の送信対象となるセルは、最大のＮｏｎ−ＣｏＭＰ品質となるセルのみでも良い。これにより、基地局２００はＣｏＭＰグループ内で最も品質が良いセルへ端末１００をハンドオーバーさせることができる。
【００９２】
また、Ｍｅａｓｕｒｅｍｅｎｔ制御部１０６は、ＣｏＭＰ品質算出対象グループのＮｏｎ−ＣｏＭＰ品質の他に、ＣｏＭＰ品質を送信しても良い。これにより、基地局２００は、ＣｏＭＰ品質が閾値を超えたことだけでなく、品質の絶対値を把握することができる。
【００９３】
以上のように本実施の形態によれば、端末１００において、ＣｏＭＰ品質算出部１０５が、総合品質値として、品質算出対象グループに対応する受信参照信号群のそれぞれの品質値に所定のオフセット値を加算することにより加算値群を算出し、Ｍｅａｓｕｒｅｍｅｎｔ制御部１０６が、加算値群の内で１つでもＮｏｎ−ＣｏＭＰ用閾値を超えるときに、品質算出対象グループに含まれるセル群の内の少なくとも１つのセルから送信された参照信号の品質を、通信中のサービングセル（つまり、基地局２００）に送信する。
【００９４】
［他の実施の形態］
（１）実施の形態１と実施の形態２とを組み合わせることも可能である。すなわち、図１１に示すように、総合品質値がＣｏＭＰ用閾値を超え、且つ、加算値群の内で１つでもＮｏｎ−ＣｏＭＰ用閾値を超えることをトリガー条件としても良い。これにより、ハンドオーバー先での制御信号の品質を担保しつつ、より正確なＣｏＭＰ品質を端末１００が基地局２００へ報告できる。なお、上記総合品質値は、ＣｏＭＰ品質算出対象グループから受信した参照信号を合成した合成信号に基づいて算出される。また、上記加算値群は、ＣｏＭＰ品質算出対象グループに含まれる複数のセルのそれぞれのＮｏｎ−ＣｏＭＰ品質にオフセット値を加算することにより得られる。
【００９５】
なお、ＣｏＭＰ品質算出対象グループから受信した参照信号を合成した合成信号に基づいて算出された総合品質値がＣｏＭＰ用閾値を超え、且つ、ＣｏＭＰ品質算出対象グループに含まれる複数のセルのそれぞれのＮｏｎ−ＣｏＭＰ品質にオフセット値を加算することにより得られる加算値群の内で１つでも“ＣｏＭＰ用閾値”を超えることをトリガー条件としても良い。オフセット値を、各セルの制御信号の受信に必要な品質を最低限満たすセルの品質が報告されるように、式（２）を満たす値に設定すれば、同様の効果が得られる。
オフセット≦ＣｏＭＰ用閾値−制御信号の受信に必要な品質・・・式（２）
【００９６】
（２）上記各実施の形態では、Ｎｏｎ−ＣｏＭＰ品質算出部１０４とＣｏＭＰ品質算出部１０５とを別の機能部として説明したが、本発明はこれに限定されるものではなく、単一の機能部であっても良い。
【００９７】
（３）上記各実施の形態では、ＣｏＭＰ品質算出対象グループとＣｏＭＰグループとが一致するものとして説明を行ったが、本発明はこれに限定されるものではなく、ＣｏＭＰ品質算出対象グループは、ＣｏＭＰグループを構成する複数のセルの内の一部のセル群によって構成されていても良い。すなわち、ＣｏＭＰグループの集合がＣｏＭＰ品質算出対象グループの集合を一部に含んでいても良い。つまり、ＣｏＭＰ品質推定対象グループは、ＣｏＭＰグループのサブセット（例えば、非特許文献３（ＴＲ３６．８１４  Ｖ２．０．０）で定義されるＣｏＭＰ  ｍｅａｓｕｒｅｍｅｎｔ  ｓｅｔまたはＲＲＭ（Ｒａｄｉｏ  Ｒｅｓｏｕｒｃｅ  Ｍａｎａｇｅｍｅｎｔ）  ｍｅａｓｕｒｅｍｅｎｔ  ｓｅｔ）であっても良い。また、ＣｏＭＰ品質算出対象グループはセル群として端末に通知するようにしてもよいし、品質測定対象のＣＳＩ（Ｃｈａｎｎｅｌ  Ｓｔａｔｅ  Ｉｎｆｏｒｍａｔｉｏｎ）−ＲＳ（Ｒｅｆｅｒｅｎｃｅ  Ｓｉｇｎａｌ）として端末に通知してもよい。後者の場合、ＣｏＭＰ品質算出対象グループはＣＳＩ−ＲＳ測定候補リストであっても良い。
【００９８】
このとき、例えば、ＣｏＭＰ品質算出対象グループは、ＣｏＭＰグループに含まれる複数のセルに関する品質最大値とＣｏＭＰグループに含まれる各セルの品質との差分が所定値以内に収まっているセル群のみを構成要素としても良い。又は、ＣｏＭＰ品質算出対象グループは、ＣｏＭＰグループに含まれるサービングセルの品質とＣｏＭＰグループに含まれる各セルの品質との差分が所定値以内に収まっているセル群のみを構成要素としても良い。又は、ＣｏＭＰ品質算出対象グループは、ＣｏＭＰグループに含まれる複数のセルの内で品質について上位Ｎ個（Ｎは、２以上の自然数であり、予め基地局２００が端末１００に対して設定するパラメータ）のセルのみを構成要素としても良い。
【００９９】
そして、基地局２００は、ＣｏＭＰ品質算出対象グループをＣｏＭＰ適用対象単位としても良い。ＣｏＭＰでは、協調送信するセルの数が多いほど、１端末当たりのリソース消費量が増加する。このため、協調セル数が多すぎると、ＣｏＭＰを適用した端末の性能は改善するものの、他端末が使用できるリソースが減少するので、平均セルスループットが低下する課題がある。これに対して、ＣｏＭＰ品質算出対象グループ及びＣｏＭＰ適用対象単位をＣｏＭＰグループよりも小さな単位とすることにより、少ない協調セル数で所定の品質が得られる場合にのみＣｏＭＰ品質を報告することができると共に、ＣｏＭＰ適用時の過剰な協調セル数の増加を防止できる。なお、ＣｏＭＰ適用対象単位は、ＣｏＭＰ  ｔｒａｎｓｍｉｓｓｉｏｎ  ｐｏｉｎｔ（ｓ）と呼ばれることがある。
【０１００】
（４）実施の形態１では、ＣｏＭＰ用閾値をＮｏｎ−ＣｏＭＰ用閾値と異なる値としたが、本発明はこれに限定されるものではなく、ＣｏＭＰ用閾値としてＮｏｎ−ＣｏＭＰ用閾値を用いても良い。こうすることでも、通信システム内に、複数のセルで協調して下り回線通信を行うセルグループが含まれる場合でも、適切なハンドオーバー制御を実現できる。ただし、上述の通り、Ｎｏｎ−ＣｏＭＰ用閾値の他に、ＣｏＭＰ用閾値を別途設定することにより、ＣｏＭＰを利用することにより大きな伝送特性向上効果が見込められるときにのみ、ＣｏＭＰ品質算出対象グループのＮｏｎ−ＣｏＭＰ品質を送信することができる。
【０１０１】
（５）実施の形態２では、Ｎｏｎ−ＣｏＭＰ用閾値のみを用いたが、本発明はこれに限定されるものではなく、実施の形態１と同様に、ＣｏＭＰ用閾値をＮｏｎ−ＣｏＭＰ用閾値と異なる値としても良い。
【０１０２】
（６）実施の形態１及び他の実施の形態（５）では、ＣｏＭＰ用閾値として、ＣｏＭＰ品質算出対象グループを構成するセル数に応じて異なる値を設定しても良い。すなわち、ＣｏＭＰ用閾値は、ＣｏＭＰ品質算出対象グループを構成するセル数が多い程、大きな値に設定される。基地局２００は端末１００に対して、ＣｏＭＰ品質算出対象グループを構成するセル数に応じたＣｏＭＰ用閾値を予め設定しても良いし、ＣｏＭＰ品質算出対象グループを構成するセル数に応じたＣｏＭＰ用閾値の算出式を予め設定しても良い。
【０１０３】
こうすることで、基地局２００から設定されたＣｏＭＰ品質算出対象グループの構成セル数が少ない端末１００が優先的に品質を報告し、ＣｏＭＰによる性能改善効果が得られるセルへハンドオーバーされることになるので、リソースの利用効率を向上させることができる。
【０１０４】
（７）実施の形態１及び他の実施の形態（５）では、ＣｏＭＰ用閾値が、適用されるＣｏＭＰの方式に基づいて切り替えられても良い。具体的には、適用されるＣｏＭＰの方式がＤＣＳか又はＪＴかによって、ＣｏＭＰ用閾値が切り替えられても良い。そして、適用されるＣｏＭＰの方式がＪＴの場合のＣｏＭＰ用閾値の値は、適用されるＣｏＭＰの方式がＤＣＳの場合のＣｏＭＰ用閾値の値よりも大きい。すなわち、ＤＣＳとＪＴとではデータを送信するセルの数が異なるため、ＣｏＭＰ品質が異なる値になる（つまり、ＪＴ時の品質がＤＣＳ時の品質より高くなる）。よって、適用されるＣｏＭＰの方式がＪＴの場合のＣｏＭＰ用閾値と適用されるＣｏＭＰの方式がＤＣＳの場合のＣｏＭＰ用閾値とを、ＤＣＳ時の品質に適した値で一致させると、ＪＴ時には、報告が頻繁に発生する課題が生じる。逆に、ＪＴ時の品質に適した値で一致させると、ＤＣＳ時には、報告が発生せず、基地局が品質を把握できなくなる。そこで、ここでは、適用されるＣｏＭＰの方式がＤＣＳか又はＪＴかによってＣｏＭＰ用閾値を切り替えている。なお、ＤＣＳは任意のタイミングでデータを送信している基地局２００の数が常に１つである方式なので、適用されるＣｏＭＰの方式がＤＣＳの場合のＣｏＭＰ用閾値は、Ｎｏｎ−ＣｏＭＰ用閾値と同じ値に設定されても良い。
【０１０５】
（８）上記各実施の形態では、セルという単位で測定（Ｍｅａｓｕｒｅｍｅｎｔ）を行うことを前提に説明したが、送信ポイントの単位で測定を行うようにしてもよい。なお、送信ポイントとは、ＣＳＩ−ＲＳで区別されることもある。つまり、測定対象のセルは測定対象のＣＳＩ−ＲＳと読み替えることができる。
【０１０６】
（９）上記各実施の形態では、本発明をハードウェアで構成する場合を例にとって説明したが、本発明はハードウェアとの連係においてソフトウェアでも実現することも可能である。
【０１０７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１０８】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１０９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１１０】
２０１１年１月３１日出願の特願２０１１−０１７９３２の日本出願に含まれる明細書、図面および要約書の開示内容は、すべて本願に援用される。
【産業上の利用可能性】
【０１１１】
本発明の端末及び品質送信方法は、通信システム内に、複数のセルで協調して下り回線通信を行うセルグループが含まれる場合でも、適切なハンドオーバー制御を実現できるものとして有用である。
【符号の説明】
【０１１２】
１００  端末
１０１，２０４  受信部
１０２，２０５  受信処理部
１０３，２０１  Ｍｅａｓｕｒｅｍｅｎｔ設定部
１０４  Ｎｏｎ−ＣｏＭＰ品質算出部
１０５  ＣｏＭＰ品質算出部
１０６  Ｍｅａｓｕｒｅｍｅｎｔ制御部
１０７，２０２  送信処理部
１０８，２０３  送信部
２００  基地局
２０６  報告情報抽出部
２０７  ハンドオーバー制御部
【図１】
2012105167.tif 000003
【図２】
2012105167.tif 000004
【図３】
2012105167.tif 000005
【図４】
2012105167.tif 000006
【図５】
2012105167.tif 000007
【図６】
2012105167.tif 000008
【図７】
2012105167.tif 000009
【図８】
2012105167.tif 000010
【図９】
2012105167.tif 000011
【図１０】
2012105167.tif 000012
【図１１】
2012105167.tif 000013
【国際調査報告】
2012105167.tif 000014
2012105167.tif 000015